(57)【要約】【課題】保冷や水滴付着防止の機能を有し、かつデザイン性に優れるペットボトルカバーを提供する。【解決手段】ペットボトルＰを覆う内側カバー１１と、内側カバー１１の外側に取り付けられる外側カバー１２と、を備えるペットボトルカバー１において、外側カバー１２は着物柄であり、外側カバー１２の周方向の縁部同士を重ねて固定し、内側カバー１１の下端は紐通し口として形成されるとともに、紐通し口に紐体１３が挿通されてなり、ペットボトルＰを下方から挿抜可能にした。【選択図】図１
2020019562.tif 000002
【特許請求の範囲】
【請求項１】
ペットボトルを覆う内側カバーと、
前記内側カバーの外側に取り付けられる外側カバーと、を備えるペットボトルカバーにおいて、
前記外側カバーは着物柄であり、
前記外側カバーの周方向の縁部同士を重ねて固定することを特徴とするペットボトルカバー。
【請求項２】
前記内側カバーの下端は紐通し口として形成されるとともに、前記紐通し口に紐体が挿通されてなり、前記ペットボトルを下方から挿抜可能にしたことを特徴とする請求項１に記載のペットボトルカバー。
【請求項３】
前記紐体は、前記外側カバーの内側を通すとともに前記外側カバーの上部から外方に出され、さらに前記外側カバーの周方向反対側の上部外側に固定されたことを特徴とする請求項２に記載のペットボトルカバー。
【請求項４】
前記外側カバーは前記内側カバーに対して着脱自在であることを特徴とする請求項１乃至３のうちいずれか一つに記載のペットボトルカバー。
【発明の詳細な説明】
【技術分野】
【０００１】
本発明は、内側カバーと外側カバーとを備えるペットボトルカバーに関するものである。
【背景技術】
【０００２】
コンビニエンスストア等においてペットボトルの飲料は多く扱われており、それらは冷却された状態で販売されている。
その中でも例えば５００ｍｌ前後のサイズのペットボトル飲料の場合、一度に飲み切ることは少なく、バッグ等に入れて持ち歩き時間を開けて飲用されることが多い。
そこで、保冷や水滴付着防止を目的としたペットボトルカバーが開示されている（例えば、特許文献１参照）。
【先行技術文献】
【特許文献】
【０００３】
【特許文献１】登録実用新案第３０６３３９９号公報
【発明の概要】
【発明が解決しようとする課題】
【０００４】
しかしながら、現在世の中に出回っているペットボトルカバーは機能性に注目するのみで面白味が欠けるという問題がある。
【０００５】
そこで、本発明の目的とするところは、保冷や水滴付着防止の機能を有し、かつデザイン性に優れるペットボトルカバーを提供することにある。
【課題を解決するための手段】
【０００６】
上記の目的を達成するために、本発明の請求項１に記載のペットボトルカバー（１）は、
ペットボトル（Ｐ）を覆う内側カバー（１１）と、
前記内側カバー（１１）の外側に取り付けられる外側カバー（１２）と、を備えるペットボトルカバー（１）において、
前記外側カバー（１２）は着物柄であり、
前記外側カバー（１２）の周方向の縁部同士を重ねて固定することを特徴とする。
【０００７】
また、請求項２に記載のペットボトルカバー（１）は、
前記内側カバー（１１）の下端は紐通し口として形成されるとともに、前記紐通し口に紐体（１３）が挿通されてなり、前記ペットボトル（Ｐ）を下方から挿抜可能にしたことを特徴とする。
【０００８】
また、請求項３に記載のペットボトルカバー（１）は、
前記紐体（１３）は、前記外側カバー（１２）の内側を通すとともに前記外側カバー（１２）の上部から外方に出され、さらに前記外側カバー（１２）の周方向反対側の上部外側に固定されたことを特徴とする。
【０００９】
また、請求項４に記載のペットボトルカバー（１）は、
前記外側カバー（１２）は前記内側カバー（１１）に対して着脱自在であることを特徴とする。
【００１０】
ここで、上記括弧内の記号は、図面および後述する発明を実施するための形態に掲載された対応要素または対応事項を示す。
【発明の効果】
【００１１】
本発明の請求項１に記載のペットボトルカバーによれば、内側カバーと外側カバーを備えるので、保冷や水滴付着防止の機能を有する。
その上で、外側カバーは着物柄であり、外側カバーの周方向の縁部同士を重ねて固定するので、ペットボトルが着物を来たような見た目となり、デザイン性に優れる。
特に、インバウンド向けの土産物になり得る。
【００１２】
また、請求項２に記載のペットボトルカバーによれば、請求項１に記載の発明の作用効果に加え、内側カバーの下端は紐通し口として形成されるとともに、紐通し口に紐体が挿通されてなり、ペットボトルを下方から挿抜可能にしたので、ペットボトルカバーの外観を保ったままペットボトルを挿抜できる。
【００１３】
また、請求項３に記載のペットボトルカバーによれば、請求項２に記載の発明の作用効果に加え、紐体は、外側カバーの内側を通すとともに外側カバーの上部から外方に出され、さらに外側カバーの周方向反対側の上部外側に固定されたので、紐体を引いて内側カバーの下端（紐通し口）を閉口したときにはペットボトルカバー上部に位置する紐体の部位が長くなる。この長くなった部位を使って、フック等にペットボトルカバーを吊るすことが可能である。
【００１４】
また、請求項４に記載のペットボトルカバーによれば、請求項１乃至３に記載の発明の作用効果に加え、外側カバーは内側カバーに対して着脱自在であるので、容易に外側カバーを交換することができる。
【００１５】
なお、本発明のペットボトルカバーのように、内側カバーと外側カバーとを備え、外側カバーの周方向の縁部同士を重ねて固定する点は、上述した特許文献１には全く記載されていない。
【図面の簡単な説明】
【００１６】
【図１】本発明の実施形態に係るペットボトルカバーをペットボトルに取り付けた状態を示す正面図である。
【図２】本発明の実施形態に係るペットボトルカバーをペットボトルに取り付けた状態を示す底面図である。
【図３】本発明の実施形態に係るペットボトルカバーをペットボトルに取り付けた状態を示す側面図である。
【図４】本発明の実施形態に係るペットボトルカバーにおける内側カバー下端の開状態を示す底面図である。
【図５】本発明の実施形態に係るペットボトルカバーにおける内側カバー下端の開状態を示す正面図である。
【図６】本発明の実施形態に係るペットボトルカバーにおける外側カバーを取り外そうとした状態を示す図である。
【図７】本発明の実施形態に係るペットボトルカバーをペットボトルに取り付けそのペットボトルのキャップに頭部を取り付けた状態を示す正面図である。
【発明を実施するための形態】
【００１７】
図１乃至図７を参照して、本発明の実施形態に係るペットボトルカバー１を説明する。
このペットボトルカバー１は、内側カバー１１と、外側カバー１２と、紐体１３と、を備える。
【００１８】
内側カバー１１は、断熱性の布体で構成されており、ペットボトルＰを覆うものである。
内側カバー１１は上部が縮径した筒状、すなわちペットボトルＰの外形に沿うような形となっている。
内側カバー１１の下端は図２及び図４に示すように、紐通し口として形成されるとともに、紐通し口に紐体１３が挿通されてなる。
この紐体１３を引いて内側カバー１１の下端を絞ることで、図２に示すように内側カバー１１の下端が閉状態となる。この閉状態を維持可能なように紐体１３は留め具１５に挿通されている。
一方、図４に示すように内側カバー１１が開状態のとき、ペットボトルＰを下方から挿抜可能である。
内側カバー１１の下端を、紐体１３で絞り易いように内側カバー１１の他の部位とは別部材で構成していてもよい。
【００１９】
外側カバー１２は、面ファスナー１４を介して内側カバー１１の外側に取り付けられており、外側カバー１２は内側カバー１１に対して着脱自在となっている。
また、外側カバー１２は着物柄であり、外側カバー１２の周方向の縁部同士を重ねて固定する。
図６に示すように、外側カバー１２の重なる部位にそれぞれ面ファスナー１４が取り付けられており、その面ファスナー１４を介して外側カバー１２同士も固定されている。
このように外側カバー１２の周方向の縁部同士を重ねたときに、外側カバー１２の上部の重なり部分が着物の襟状となるように外側カバー１２が形成されている。
また、外側カバー１２には着物の帯を模した帯体１６も取り付けられている。この帯体１６も面ファスナー１４で端部同士が着脱自在になっている。
また、外側カバー１２には袖部１７も取り付けられている。
【００２０】
紐体１３は、内側カバー１１の下端の紐通し口に挿通されており、その先を外側カバー１２の内側を通すとともに外側カバー１２の上部から外方に出され、さらに外側カバー１２の周方向反対側の上部外側に固定されている（図３参照）。
つまり、図１乃至図３に示すように内側カバー１１の下端を絞って閉状態としたときには外側カバー１２上部に露出する紐体１３は長くなる。
【００２１】
一方、図４及び図５に示すように内側カバー１１の下端を緩めて開状態としたときには、内側カバー１１下端の紐通し口の内部に紐体１３が多く入ることとなるので、外側カバー１２上部に露出する紐体１３は短くなる。
外側カバー１２上部から外側に出た紐体１３の部位にカラビナが取り付けられていてもよい。これによりペットボトルカバー１（ペットボトルＰ）をユーザーのズボンのベルトループ等に取り付けることができるので、携帯性がさらに向上する。
【００２２】
以上のように構成されたペットボトルカバー１によれば、内側カバー１１と外側カバー１２を備えるので、保冷や水滴付着防止の機能を有する。
その上で、外側カバー１２は着物柄であり、外側カバー１２の周方向の縁部同士を重ねて固定するので、ペットボトルＰが着物を来たような見た目となり、デザイン性に優れる。
特に、インバウンド向けの土産物になり得る。
【００２３】
また、内側カバー１１の下端は紐通し口として形成されるとともに、紐通し口に紐体１３が挿通されてなり、ペットボトルＰを下方から挿抜可能にしたので、ペットボトルカバー１の外観を保ったままペットボトルＰを挿抜できる。
【００２４】
また、紐体１３は、外側カバー１２の内側を通すとともに外側カバー１２の上部から外方に出され、さらに外側カバー１２の周方向反対側の上部外側に固定されたので、紐体１３を引いて内側カバー１１の下端（紐通し口）を閉口したときにはペットボトルカバー１上部に位置する紐体１３の部位が長くなる。この長くなった部位を使って、フック等にペットボトルカバー１を吊るすことが可能である。
さらに、外側カバー１２は内側カバー１１に対して着脱自在であるので、容易に外側カバー１２を交換することができる。
【００２５】
なお、実施形態において、図７に示すようにペットボトルＰのキャップに合成樹脂製やゴム製の日本人形の頭部を模したキャップカバーを取り付けると、より日本人形のような造形となり、個性的なデザインとなる。
【００２６】
また、紐体１３を外側カバー１２の上部に出して吊り下げ可能にしたが、これに限られるものではない。つまり、吊り下げ用の紐体１３が無くてもよいし、吊り下げ用の紐体１３の固定方法が本実施形態に係るものでなくてもよい。
また、内側カバー１１の下端の開閉のための構成は本実施形態のものに限られるものではない。
【００２７】
また、外側カバー１２を内側カバー１１に対して着脱自在としたが、これに限られるものではなく、外側カバー１２が内側カバー１１に対して固定されたままであってもよい。
【符号の説明】
【００２８】
１      ペットボトルカバー
１１      内側カバー
１２      外側カバー
１３      紐体
１４      面ファスナー
１５      留め具
１６      帯体
１７      袖部
１８      キャップカバー
Ｐ      ペットボトル
【図１】
2020019562.tif 000003
【図２】
2020019562.tif 000004
【図３】
2020019562.tif 000005
【図４】
2020019562.tif 000006
【図５】
2020019562.tif 000007
【図６】
2020019562.tif 000008
【図７】
2020019562.tif 000009